(57)【特許請求の範囲】
【請求項１】
壁面に形成された壁面開口部および当該壁面開口部から取り出される配索体の取出部分を覆うように壁面側に固定され、通気用の内側開口部が形成されるカバー本体と、前記カバー本体に着脱可能に取り付けられ、前記内側開口部を覆うキャップと、を備え、前記キャップを当該カバー本体に装着した状態でキャップ内外を連通する通気用の外側開口部が形成される配索体の保護カバーにおいて、
前記カバー本体に、前記内側開口部として貫通穴を形成し、
前記キャップに、前記貫通穴の縁に係合する爪部を設け、
前記爪部と貫通穴の縁との係合によって、キャップをカバー本体に取り付けるようにすると共に、
前記貫通穴の縁に切欠を形成し、前記爪部と切欠とを貫通穴の周方向に係止させ、
前記カバー本体に、前記貫通穴の縁との係合を解除するための前記爪部の押圧に伴って、キャップをカバー本体から離間させる方向に変位させるガイド部を設けたことを特徴とする配索体の保護カバー。
【請求項２】
前記キャップの側壁を内側に押し込むことで前記爪部を貫通穴の中心側に撓ませて当該貫通穴の縁との係合を解除できるようにしたことを特徴とする請求項１に記載の配索体の保護カバー。
【請求項３】
前記切欠の、前記貫通穴中心側の端部に、拡開部を形成したことを特徴とする請求項１または２に記載の配索体の保護カバー。
【発明の詳細な説明】
【技術分野】
【０００１】
本発明は、配管や配線等の配索体を壁面を貫通させる際に、配索体が壁面から取り出される部分を覆う配索体の保護カバーに関する。
【背景技術】
【０００２】
この種の配索体の保護カバーとして、例えば、特許文献１に開示されるものが知られている。
【０００３】
この特許文献１に開示される保護カバーとしての配管カバーは、通気口が形成されたカバー本体と、カバー本体に取り付けられて当該通気口を覆うウエザーカバーと、を備えており、ウエザーカバーによって通気口から水や風が侵入するのを抑制してある。
【０００４】
ウエザーカバーをカバー本体に取り付けるにあたっては、ウエザーカバーの裏面に突設した弾性フックをカバー本体の嵌合孔部に嵌着することで、ワンタッチで行うことができるようになっている。
【特許文献１】特開２００５−２３３３１３号公報
【発明の開示】
【発明が解決しようとする課題】
【０００５】
しかしながら、上記従来の保護カバーにあっては、カバー本体に外側に突出する有底筒状部が設けられ、その円筒面に一定ピッチで複数のスリット状の通気孔が形成される構成の場合に好適なものとなっているが、全体的に構成が複雑化していた。
【０００６】
そこで、本発明は、カバー本体とキャップとを容易に着脱することができる配索体の保護カバーを、より簡素な構成として得ることを目的とする。
【課題を解決するための手段】
【０００７】
請求項１の発明にあっては、壁面に形成された壁面開口部および当該壁面開口部から取り出される配索体の取出部分を覆うように壁面側に固定され、通気用の内側開口部が形成されるカバー本体と、上記カバー本体に着脱可能に取り付けられ、上記内側開口部を覆うキャップと、を備え、上記キャップを当該カバー本体に装着した状態でキャップ内外を連通する通気用の外側開口部が形成される配索体の保護カバーにおいて、上記カバー本体に、上記内側開口部として貫通穴を形成し、上記キャップに、上記貫通穴の縁に係合する爪部を設け、上記爪部と貫通穴の縁との係合によって、キャップをカバー本体に取り付けるようにすると共に、前記貫通穴の縁に切欠を形成し、前記爪部と切欠とを貫通穴の周方向に係止させ、前記カバー本体に、前記貫通穴の縁との係合を解除するための前記爪部の押圧に伴って、キャップをカバー本体から離間させる方向に変位させるガイド部を設けたことを特徴とする。
【０００８】
請求項２の発明にあっては、上記キャップの側壁を内側に押し込むことで上記爪部を貫通穴の中心側に撓ませて当該貫通穴の縁との係合を解除できるようにしたことを特徴とする。
【００１０】
請求項３の発明にあっては、上記切欠の、上記貫通穴中心側の端部に、拡開部を形成したことを特徴とする。
【発明の効果】
【００１２】
請求項１の発明によれば、内側開口部としての貫通穴を利用してキャップを係止することができるので、上記従来技術のように内側開口部（通気孔）と係止構造とが別個に設けられている場合に比べて、構成を簡素化することができる。
【００１３】
請求項２の発明によれば、キャップの側壁を内側に押し込むことで爪部と貫通穴の縁との係合を解除できるので、キャップをカバー本体から取り外す操作をより容易に行えるようになる。
【００１４】
請求項１の発明によれば、比較的簡素な構成によって、カバー本体に対するキャップの回転を規制することができる。また、切欠を複数設け、爪部を複数の切欠のいずれかに選択的に係止させることで、キャップのカバー本体に対する回転姿勢をより容易に可変設定できるようになる。
【００１５】
請求項３の発明によれば、切欠の貫通穴中心側すなわち開放側の端部に拡開部を形成してあるため、爪部を切欠から離脱させてキャップを貫通穴の中心まわりに回動させる操作をより容易に行えるようになる。
【００１６】
請求項１の発明によれば、ガイド部によってキャップがカバー本体から離脱しやすくなる分、キャップをカバー本体から取り外す操作を行いやすくなる。
【発明を実施するための最良の形態】
【００１７】
以下、本発明の好適な実施形態について図面を参照しながら詳細に説明する。ここでは、本発明にかかる保護カバーを、排塵・換気機能付きエアコン（空調装置）に適用した場合について例示する。
【００１８】
図１〜図１６は、本発明の一実施形態にかかる配索体の保護カバーを示している。このうち、図１は、保護カバーを正面から見た全体斜視図、図２は、保護カバーを背面から見た全体斜視図、図３は、保護カバーを正面側から見た分解斜視図、図４は、保護カバーを背面側から見た分解斜視図である。
【００１９】
図１および図２に示すように、本実施形態の保護カバー１は、ベース２とカバー本体３とキャップ４とを備えている。
【００２０】
このうち、ベース２は、図３および図４に示すように、平坦な取付基板２１と、この取付基板２１の両側に立ち上がりカバー本体３を嵌合する際に案内する一対のガイド壁２２と、を備えている。
【００２１】
取付基板２１の略中央部には、該取付基板２１の長手方向（図中上下方向）に長穴となって取付基板２１の長手方向の位置調整を可能とするねじ取付穴２３が形成されている。また、取付基板２１の両側にはカバー本体３を固定するためのねじ穴２３ａが形成されている。
【００２２】
さらに、取付基板２１の長手方向一端部（図中上側）には、後述する壁面７に形成した壁面開口部８（図１１参照）と略同径となる半円状の凹設部２４が形成されている。なお、凹設部２４の近傍には、壁面開口部８に化粧プレート８Ｋ（図１５参照）が取り付けられている場合に、その凹設部２４を折り切りするためのノッチ２５が形成されている。
【００２３】
カバー本体３は、ベース２の取付基板２１に対して略直角に立ち上がる周壁３１と、その周壁３１の突出側（ベース２配置側とは反対側）を覆う天壁部としての閉止板３２と、によって取付基板２１側が開放される断面略Ｕ字状の容器状に形成されている。
【００２４】
カバー本体３の長手方向（図中上下方向）の一端（図中上方）側は、周壁３１が半円状に湾曲される閉止端３１ａとなり、長手方向の他端（図中下方）側は、周壁３１と閉止板３２とが絞られてトンネル状の開口部３１ｂが形成される。
【００２５】
また、閉止端３１ａ側の閉止板３２には、通気用の内側開口部として比較的大きな略円形状の貫通穴３３が形成されている。一方、周壁３１の閉止端３１ａ側の基部（開放側）周囲には鍔部３４が突設され、この鍔部３４にねじ取付穴３５が形成されるとともに、周壁３１の開口部３１ｂ側の両側に一対のねじ取付穴３５ａが形成される。
【００２６】
周壁３１の開口部３１ｂ近傍の絞り部分３１ｃ内側には、一対の係止凸部３６（図４参照）が対向して突設されるとともに、ベース２のガイド壁２２の外側面には、一対の係止凸部３６にそれぞれ係合する係合凹部２６が凹設される。そして、カバー本体３をベース２に被せることにより、係止凸部３６が係合凹部２６に係合されることにより、カバー本体３をベース２に仮止めできるようになっている。
【００２７】
キャップ４は、カバー本体３の閉止端３１ａ側の外周に沿って略Ｕ字状に湾曲される外壁４１と、この外壁４１の突出側（カバー本体３の配置側とは反対側）を覆う端板４２と、によって断面略Ｕ字状に形成される。外壁４１はその突出方向に向かって内方に傾斜されるテーパ状に形成され、端板４２とともに断面略台形状の先細り形状を呈している。
【００２８】
外壁４１の一側部（図中下端側）は切除されて通気用の外側開口部として流通口４３が形成されており、内側開口部としてカバー本体３に形成された貫通穴３３とともに、カバー本体３の内外を連通する通気経路が形成されている。なお、外側開口部としての流通口４３は、下方に向けて開口させ、上方からの水（例えば雨水等）の浸入を抑制するのが一般的である。また、キャップ４の外壁４１および端板４２は、貫通穴３３を覆うに十分な面積をもって形成されている。
【００２９】
そして、キャップ４の外壁４１の対向した内側には、相手側となるカバー本体３に係脱自在に係合する一対の爪部４４が設けられ、これら一対の爪部４４を介してキャップ４を貫通穴３３に装着するようになっている。
【００３０】
図５は、キャップを図４のＡ方向から見た平面図である。同図に示すように、爪部４４は、外壁４１の内面から端板４２と略垂直方向に延びるアーム部４４ｂと、アーム部４４ｂの先端に設けられる鉤状の係止部４４ａと、アーム部４４ｂの基端側から分岐されてアーム部４４ｂと交差方向に延びる交差アーム部４４ｃと、を備えている。交差アーム部４４ｃは、外壁４１の内面に接続されている。かかる構成では、係止部４４ａが、貫通穴３３の縁としての内周鍔部３７に係止され、これにより、キャップ４がカバー本体３に取り付けられるようになっている。
【００３１】
図６は、カバー本体の要部を破断した斜視図である。同図に示すように、爪部４４の先端部を互いの対向方向に変位させることにより、係止部４４ａが互いの対向方向に移動されて内周鍔部３７との係合状態が解除され、キャップ４の取り外しが可能となる。
【００３２】
ここで、爪部４４の内周鍔部３７との係合状態を解除するには、アーム部４４ｂひいては係止部４４ａを貫通穴３３の中心側に動かせばよい。本実施形態では、アーム部４４ｂあるいは係止部４４ａは、カバー本体３の開放側、あるいは流通口４３側から工具あるいは手指等によって図６の矢印で示すように動かすことができる上、図５の矢印で示すようにキャップ４の外壁４１を内側に押し込むことによっても動かせるようになっている。後者の場合、外壁４１に印加された押圧荷重が交差アーム部４４ｃを介してアーム部４４ｂに伝達され、先端側が貫通穴３３の中心に近付く方向にアーム部４４ｂが傾倒し、係止部４４ａが貫通穴３３の中心側に変位する方向に動いて、係止部４４ａと内周鍔部３７との係合が解除されることになる。
【００３３】
図７は、図１中Ｂ−Ｂ線に沿った要部拡大断面図、図８は、図７中Ｃ部の拡大断面図である。これら図７、図８に示すように、カバー本体３の閉止板３２には、キャップ４の外壁４１の開放端（端板４２とは反対側の先端）４１ａが当接する内側部分に、爪部４４の係合解除時にカバー本体３からキャップ４を離間させる方向に変位させるガイド部として、傾斜部３２ａが設けられている。
【００３４】
傾斜部３２ａは、貫通穴３３と同心状となる環状に形成され、貫通穴３３の中心に向かって徐々に突出する方向に傾斜されている。
【００３５】
図９は、キャップの取り外し状態を示す保護カバーの要部拡大断面図、図１０は、図９中Ｄ部拡大断面図である。これら図９、図１０に示すように、爪部４４の先端部を互いの対向方向に変位させた際に、その爪部４４の変位に伴ってキャップ４の外壁４１の開放端４１ａが内方に撓むことになる。すると、外壁４１の開放端４１ａが傾斜部３２ａに沿ってカバー本体３の閉止板３２から離れる方向に持ち上げられて、キャップ４の取り外しをアシストすることができる。
【００３６】
図１１は、保護カバーのベースの取付状態を示す斜視図、図１２は、配索体の配索状態を示す斜視図、図１３は、保護カバーのカバー本体およびキャップの取付状態を示す斜視図、図１４は、保護カバーの取付完了状態を示す斜視図である。
【００３７】
すなわち、上述した構成になる保護カバー１は、図１１〜図１４に示すように、図外のエアコンの冷媒配管５，５ａや排塵ホース６等の配索体を壁面７から取り出す部分に取り付けられる。なお、図示されないが、冷媒配管５，５ａや排塵ホース６の他に、ドレンホースや配線等も配索されている。
【００３８】
壁面７には、図１１に示すように冷媒配管５，５ａや排塵ホース６等の配索体を室内側から屋外側に貫通させる壁面開口部８が形成され、この壁面開口部８が排塵ホース６から排出される空気の排出口となっている。なお、排塵ホース６は空気を出し入れする換気ホースである場合でも同様である。
【００３９】
まず、ベース２の取付基板２１をその凹設部２４が壁面７の壁面開口部８の周縁と略一致するようにして配置し、そして、ねじ取付穴２３に固定ねじＳを挿通して壁面７にねじ込むことにより、ベース２を壁面７に固定する。
【００４０】
次に、壁面７に固定したベース２の長手方向の他端（図中下方）側に、冷媒配管５，５ａ等の配索体の一般部分を収納する断面コ字状のダクト本体ベース９を固定ねじＳで壁面に固定する。
【００４１】
そして、図１２に示すように、壁面開口部８に冷媒配管５，５ａや排塵ホース６等の配索体を室内側から貫通させ、冷媒配管５，５ａ等の配索体を壁面開口部８から取り出した部分で略直角に屈曲させて壁面７に沿わせ、その壁面７に沿わせる冷媒配管５，５ａ等の配索体の一般部分をダクト本体ベース９の内方に配索する。このとき、壁面開口部８は、冷媒配管５，５ａや排塵ホース６等の配索体を貫通させた後にパテＰを詰め込んで密閉しておく。
【００４２】
排塵ホース６は、壁面開口部８から取り出した部分で終端とし、その先端部が先端カバー６ａで覆われ、この先端カバー６ａを介して空気が流通される。
【００４３】
次に、図１３に示すように、ダクト本体ベース９の開放側にダクト本体カバー９ａを取り付けて密閉するとともに、冷媒配管５，５ａや排塵ホース６等の配索体の壁面開口部８からの取出部分を、ダクト本体カバー９ａの端部とともにカバー本体３で覆う。このとき、カバー本体３はベース２のガイド壁２２の外側に嵌合して、カバー本体３の係止凸部３６がガイド壁２２の係合凹部２６に係合されて仮止めされる。なお、先端カバー６ａは、貫通穴３３からカバー本体３の外部に露出される。
【００４４】
この状態でカバー本体３のねじ取付穴３５に固定ねじＳを挿通して壁面７にねじ込むとともに、ねじ取付穴３５ａに固定ねじＳを挿通してベース２のねじ穴２３ａにねじ込むことにより、カバー本体３を壁面７に固定する。その後、カバー本体３の貫通穴３３にキャップ４を装着してその貫通穴３３を覆うことにより、図１４に示すように、保護カバー１の取り付けが完了する。
【００４５】
図１５は、壁面の開口部に化粧プレートが取り付けられた場合のベースの取付状態を示す斜視図である。同図に示すように、壁面開口部８に化粧プレート８Ｋが嵌着される場合は、ベース２の凹設部２４はノッチ２５を折って除去することになる。
【００４６】
したがって、このように保護カバー１を取り付けた状態では、配索体の取り出し部分、さらには壁面開口部８を覆って外観上の見栄えを良好にするとともに、配索体の保護が図られる。
【００４７】
そして、排塵ホース６の先端カバー６ａから排出された空気は、キャップ４の流通口４３から外方に排出される。
【００４８】
ところで、図３に示すように、内周鍔部３７の内周に爪部４４の略周方向幅Ｗ（図４参照）をもって凹設される切欠３７ａを周方向に所定間隔をもって形成してある。本実施形態では、切欠３７ａは、カバー本体３の長手方向に配置される一対の切欠３７ａを基準として、中心角４５゜の間隔をもって形成されている。つまり、切欠３７ａは、カバー本体３の長手方向と、その長手方向に対して直角方向と、同長手方向に対してそれぞれ左・右４５゜の傾斜方向と、に対を成して形成される。爪部４４は貫通穴３３の径外方向に弾発力を有しており、切欠３７ａに挿入された状態で安定的に内周鍔部３７に安定的に係止される。このとき、爪部４４と切欠３７ａとは貫通穴３３の周方向に係止されることになる。
【００４９】
図１６は、カバー本体に対するキャップの回転姿勢を（ａ）〜（ｃ）にそれぞれ示す正面図である。同図に示すように、（ａ）は壁面開口部８から取り出された配索体が下方に配索される場合で、カバー本体３に対してキャップ４は流通口４３が下方となる回転姿勢となっている。（ｂ）は配索体が水平方向に配索される場合で、カバー本体３に対してキャップ４は流通口４３が下方に位置するように長手方向直角の回転姿勢となっている。（ｃ）は配索体が上方に配索される場合で、カバー本体３に対してキャップ４は流通口４３が下方に位置するように長手方向逆の回転姿勢となっている。このように流通口４３を下方に位置させることにより、雨水が流通口４３から保護カバー１内に侵入するのを防止する。
【００５０】
図１６に示すようにキャップ４のカバー本体３に対する回転姿勢を可変設定あるいは変更するにあたっては、爪部４４を、複数の切欠３７ａのいずれかに選択的に係合させればよい。この場合、爪部４４を貫通穴３３の中心側に撓ませることで切欠３７ａとの係止を解除することができる。
【００５１】
また、切欠３７ａの貫通穴３３の中心側の端部（角部）には面取り部（または円弧面）３７Ｃが形成されている。この面取り部３７Ｃは、切欠３７ａの開放側を拡開しており、本発明の拡開部に相当するものである。この面取り部３７Ｃにより、爪部４４を係合する切欠３７ａの変更、すなわち、キャップ４のカバー本体３に対する回転姿勢の変更をより円滑に行うことができるようになる。
【００５２】
以上のように、本実施形態にかかる保護カバー１では、カバー本体３に、内側開口部として貫通穴３３を形成し、キャップ４に、貫通穴３３の縁としての内周鍔部３７に係合する爪部４４を設け、爪部４４と内周鍔部３７との係合によって、キャップ４をカバー本体３に取り付けるようにした。このため、内側開口部としての貫通穴３３を利用してキャップ４を係止することができるので、内側開口部と係止構造とが別個に設けられている場合に比べて構成を簡素化することができる。
【００５３】
また、キャップ４をワンタッチで貫通穴３３に装着できるため、キャップ４を装着する際の作業効率を向上できるとともに、片手でキャップを装着できるので作業性も向上できる。
【００５４】
また、本実施形態では、爪部４４に交差アーム部４４ｃを設け、これにより、キャップ４の側壁としての外壁４１を内側に押し込むことで爪部４４を貫通穴３３の中心側に撓ませて内周鍔部３７との係合を解除できるようにした。このため、キャップ４をカバー本体３から取り外す操作をより容易に行えるようになる。
【００５５】
また、本実施形態では、貫通穴３３の縁としての内周鍔部３７に切欠３７ａを形成し、爪部４４と切欠３７ａとを貫通穴３３の周方向に係止させるようにした。このため、比較的簡素な構成によって、カバー本体３に対するキャップ４の回転を規制することができる。また、切欠３７ａを複数設け、爪部４４を複数の切欠３７ａのいずれかに選択的に係止させることで、キャップ４のカバー本体３に対する回転姿勢をより容易に可変設定できるようになる。
【００５６】
また、本実施形態では、切欠３７ａの、上記貫通穴３３の中心側の端部に、拡開部として面取り部３７Ｃを形成した。これにより、爪部４４を切欠３７ａから容易に離脱させることができ、キャップ４を貫通穴３３の中心まわりに回動させる操作をより容易に行えるようになる。すなわち、キャップ４のカバー本体３に対する回転姿勢をより容易に変更することができる。
【００５７】
また、本実施形態では、カバー本体３に、内周鍔部３７との係合を解除するための爪部４４の押圧に伴って、キャップ４をカバー本体３から離間させる方向に変位させるガイド部として傾斜部３２ａを設けた。このため、キャップ４がカバー本体３から離脱しやすくなって、キャップ４を取り外す操作を行いやすくなる。
【００５８】
以上、本発明の好適な実施形態について説明したが、本発明は上記実施形態には限定されず種々の変更が可能である。例えば、上記実施形態では、爪部はキャップ側に設けたが、カバー本体側に爪部を設け、キャップにその爪部を弾発的に係合する係合部を設けた場合にあっても、同様の効果が得られる。
【００５９】
また、キャップの側壁を内側に押し込むことで爪部を貫通穴の中心側に撓ませる構成は、上記交差アーム部以外の構成としても具現化することが可能である。
【００６０】
また、拡開部の形状も面取りに形状には限定されず、角部を丸めた形状（Ｒ形状）としてもよい。
【図面の簡単な説明】
【００６１】
【図１】本発明の一実施形態にかかる保護カバーを正面側から見た全体斜視図である。
【図２】本発明の一実施形態にかかる保護カバーを背面側から見た全体斜視図である。
【図３】本発明の一実施形態にかかる保護カバーを正面側から見た分解斜視図である。
【図４】本発明の一実施形態にかかる保護カバーを背面側から見た分解斜視図である。
【図５】本発明の一実施形態にかかる保護カバーのキャップを図４のＡ方向から見た平面図である。
【図６】本発明の一実施形態にかかる保護カバーを背面側から見た斜視図であって、保護カバーの一部を破断して示した図である。
【図７】図１のＢ−Ｂ断面図である。
【図８】図７中Ｃ部の拡大断面図である。
【図９】図１のＢ−Ｂ断面図において、キャップを取り外す状態を示す図である。
【図１０】図９中Ｄ部の拡大断面図である。
【図１１】本発明の一実施形態にかかる保護カバーのベースの取付状態を示す斜視図である。
【図１２】本発明の一実施形態にかかる保護カバーが適用される配索体の配索状態を示す斜視図である。
【図１３】本発明の一実施形態にかかる保護カバーのカバー本体およびキャップの取付状態を示す斜視図である。
【図１４】本発明の一実施形態にかかる保護カバーの取付完了状態を示す斜視図である。
【図１５】本発明の一実施形態にかかる保護カバーが適用される壁面の開口部に化粧プレートが取り付けられた場合のベースの取付状態を示す斜視図である。
【図１６】本発明の一実施形態にかかるカバー本体に対するキャップの回転姿勢のバリエーションを示す正面図である。
【符号の説明】
【００６２】
１  保護カバー
２  ベース
３  カバー本体
３２ａ  傾斜部（ガイド部）
３３  貫通穴（内側開口部）
３７  内周鍔部（縁）
３７ａ  切欠
３７Ｃ  面取り部（拡開部）
４  キャップ
４３  流通口（外側開口部）
４４  爪部
５，５ａ  冷媒配管（配索体）
５Ｂ  屈曲部分（取出部分）
６  排塵ホース（配索体）
７  壁面
８  壁面開口部
【図１】
0005075529.tif 000002
【図２】
0005075529.tif 000003
【図３】
0005075529.tif 000004
【図４】
0005075529.tif 000005
【図５】
0005075529.tif 000006
【図６】
0005075529.tif 000007
【図７】
0005075529.tif 000008
【図８】
0005075529.tif 000009
【図９】
0005075529.tif 000010
【図１０】
0005075529.tif 000011
【図１１】
0005075529.tif 000012
【図１２】
0005075529.tif 000013
【図１３】
0005075529.tif 000014
【図１４】
0005075529.tif 000015
【図１５】
0005075529.tif 000016
【図１６】
0005075529.tif 000017